(57)【特許請求の範囲】
【請求項１】
上部が開口した箱体と、該箱体の蓋となると共に画材を支持する支持部材を備え、前記支持部材の一端は箱体に揺動可能に支持され、且つ当該支持部材の一端は箱体に沿ってスライド可能であり、前記支持部材は蓋本体に下受台と上受部材が設けられたものであり、前記蓋本体にはガイド溝が設けられ、前記上受部材にはガイド棒が一体的に取り付けられており、前記ガイド棒は蓋本体のガイド溝内を摺動可能であり、前記上受部材は天地逆方向に差し替え可能であり、さらに前記上受部材は表裏逆方向に差し替え可能であることを特徴とする画架。
【請求項２】
上部が開口した箱体と、該箱体の蓋となると共に画材を支持する支持部材を備え、前記支持部材の一端は箱体に揺動可能に支持され、且つ当該支持部材の一端は箱体に沿ってスライド可能であり、前記支持部材は蓋本体に下受台と上受部材が設けられたものであり、前記蓋本体にはガイド溝が設けられ、前記上受部材にはガイド棒が一体的に取り付けられており、前記ガイド棒は蓋本体のガイド溝内を摺動可能であり、前記上受部材は天地逆方向に差し替え可能であり、下受台と蓋本体の間では、ガイド溝に対する長手方向の延長線上にスリットが形成され、ガイド棒を移動した時、ガイド棒の下端は下受台のスリットを通ることができることを特徴とする画架。
【請求項３】
請求項２に記載の画架において、前記上受部材は表裏逆方向に差し替え可能であることを特徴とする画架。
【請求項４】
請求項１乃至３のいずれかに記載の画架において、前記蓋本体にはスリットが設けられ、前記下受台は蓋本体のスリットにネジを介して取り付けられていてスリットに沿って移動することができ、位置調節が可能であることを特徴とする画架。
【請求項５】
上部が開口した箱体と、該箱体の蓋となると共に画材を支持する支持部材を備え、前記支持部材の一端は箱体に揺動可能に支持され、且つ当該支持部材の一端は箱体に沿ってスライド可能であり、支持部材の裏面には指入れ穴を有するパレットが装着され、支持部材には前記パレットの指入れ穴に相当する部位に突起が設けられ、当該突起には係止部材が設けられていることを特徴とする画架。
【請求項６】
請求項１乃至５のいずれかに記載の画架において、支持部材はヒンジ部材によって箱体に揺動可能に支持され、ヒンジ部材は固定ネジおよび固定ナットとガイド片を備え、箱体の側面には当該側面の壁を貫通すると共に長手方向に延びる固定用スリットと、該固定用スリットに平行して延びるガイド用溝を有し、前記ヒンジ部材の固定ネジは、固定用スリットを貫通して固定ナットと嵌合し、ヒンジ部材のガイド片はガイド用溝と嵌合していることを特徴とする画架。
【請求項７】
上部が開口した箱体と、該箱体の蓋となると共に画材を支持する支持部材を備え、前記支持部材の一端は箱体に揺動可能に支持され、支持部材の裏面には支持部材と略一致する形状のパレットが装着された画架において、パレットは指入れ穴を有し、支持部材には前記パレットの指入れ穴に相当する部位に突起が設けられ、当該突起には係止部材が設けられていることを特徴とする画架。
【発明の詳細な説明】
【０００１】
【産業上の利用分野】
本発明は、絵を描く時にキャンバスを固定したり、絵や写真を展示したり鑑賞する際に絵等を立てかける画架に係るものであり、画材を固定・展示する画架に関するものである。
【０００２】
【従来の技術】
油絵等を描く際には、一般にキャンバス等の画材を画架に固定する。画架は、中世の頃から知られた道具であり、棹状や板状、あるいは枠状の支持部材に下受台が設けられた構成を基本とするものである。
しかしながら、旧知の画架はいずれも非常に嵩張るものであり、持ち運びや収納が困難であると言う問題点があった。
そこで本出願人は、実願平５−３４１３５号において、収納時に箱状となる画架を提案した。
本出願人が先に提案した画架は、図１２および、図１３の様であり、図１２は使用時の様子を示し、図１３は収納時の様子を示す。
【０００３】
従来技術の画架１００は、上面が開口した箱体１０１と、この箱体１０１の蓋として機能すると共に画材を支持する支持部材１０２を備える。
従来技術の画架１００では、支持部材１０２は、その一端がヒンジ１０３によって箱体１０１の端部に取り付けられている。
従来技術の画架１００は、収納時や持ち運び時には図１３の様に支持部材１０２が箱体１０１の開口を覆い、全体として密閉された一つの箱状となる。
そして画架１００を使用する際には、ヒンジ１０３を中心として支持部材１０２を立てる。また支持棒１０５を伸ばして支持部材１０２を斜めに固定する。そして斜めに固定された支持部材１０２にキャンバスをもたれさせて絵を描く。
絵の具や筆等は、箱体１０１内に収納されており、使用者は、必要なものを適時取り出して使用する。
【０００４】
【発明が解決しようとする課題】
従来技術の画架１００は、収納時に全体が箱形になるので嵩張らず、持ち運びや収納が容易であると言う利点がある。また箱体１０１は物入れとして機能し、持ち運び時にはその内部に絵の具等が収納される。さらに絵を描く際には、前述の様に箱体１０１内に、絵の具や筆が入れておくことができる。そのため従来技術の画架１００では、絵を描く際に絵の具や筆が周囲に散乱することが無く、筆に付いた絵の具によって周囲を汚したり、筆先に砂が付くと言った不都合が無い。
【０００５】
しかしながら、従来技術の画架１００は、絵を描く際に、箱体１０１から絵の具等を取り出し難いと言う問題がある。
即ち従来技術の画架１００では、支持部材１０２は、前述の様にその一端がヒンジ１０３によって箱体１０１の端部に取り付けられている。従って支持部材１０２が立てられた状態では、支持部材１０２の下端は、図１２の様に箱体１０１の手前側（使用者側）の端部に一致する。
【０００６】
ここでキャンバスは、支持部材１０２に立てかけられるので、使用者は支持部材１０２に向かって立ちつつ絵を描き、筆を変える際には、画架１００の箱体１０１から所望の筆を取り出すこととなる。
しかし従来技術の画架１００では、箱体１０１は、使用者から見て支持部材１０２の影になり、使用者は箱体１０１の中を直接見る事ができず、所望の筆を選びだすことができない。
【０００７】
特に画架１００に大きなキャンバスを立てた場合は、箱体１０１は、キャンバスによって完全に遮られ、使用者から全く見えないばかりでなく、使用者側から箱体１０１内に手を入れることもできない事態となる。
そのため折角収納部として機能すべく設けられた箱体１０１ではあるが、使い勝手が悪い問題があった。
また箱体１０１内の物を取り出し易くするために、箱体１０１に引出しを設ける構成も考えられるが、引出しを設けると引出しの中箱の分だけ箱体１０１内の収納容積が減少する不満があった。さらに引出しを設ける構成では、どうしても遊びがあるために引出しを出した際に、中箱が斜めになったり、誤って中箱を引き抜いてしまうと言う不具合があった。
本発明は、従来技術の上記した問題点に注目し、箱体の収納箱としての利用を促進するものであり、使用者側から箱体内部を見ることができ、且つその収納容積を減少させることも無い画架を提供することを目的とするものである。
【０００８】
【課題を解決するための手段】
そして上記した目的を達成するための本発明は、上部が開口した箱体と、該箱体の蓋となると共に画材を支持する支持部材を備え、前記支持部材の一端は箱体に揺動可能に支持され、且つ当該支持部材の一端は箱体に沿ってスライド可能であり、前記支持部材は蓋本体に下受台と上受部材が設けられたものであり、前記蓋本体にはガイド溝が設けられ、前記上受部材にはガイド棒が一体的に取り付けられており、前記ガイド棒は蓋本体のガイド溝内を摺動可能であり、前記上受部材は天地逆方向に差し替え可能であり、さらに前記上受部材は表裏逆方向に差し替え可能であることを特徴とする画架である。
【０００９】
また同様の目的を達成するためのさらに別の発明は、上部が開口した箱体と、該箱体の蓋となると共に画材を支持する支持部材を備え、前記支持部材の一端は箱体に揺動可能に支持され、且つ当該支持部材の一端は箱体に沿ってスライド可能であり、前記支持部材は蓋本体に下受台と上受部材が設けられたものであり、前記蓋本体にはガイド溝が設けられ、前記上受部材にはガイド棒が一体的に取り付けられており、前記ガイド棒は蓋本体のガイド溝内を摺動可能であり、前記上受部材は天地逆方向に差し替え可能であり、下受台と蓋本体の間では、ガイド溝に対する長手方向の延長線上にスリットが形成され、ガイド棒を移動した時、ガイド棒の下端は下受台のスリットを通ることができることを特徴とする画架である。
【００１０】
そして上記の発明の実施態様としての発明は、前記上受部材は表裏逆方向に差し替え可能であることを特徴とする画架である。
【００１１】
さらに上記の発明の実施態様としての発明は、前記蓋本体にはスリットが設けられ、前記下受台は蓋本体のスリットにネジを介して取り付けられていてスリットに沿って移動することができ、位置調節が可能であることを特徴とする画架である。
【００１２】
また同様の目的を達成するためのさらに別の発明は、上部が開口した箱体と、該箱体の蓋となると共に画材を支持する支持部材を備え、前記支持部材の一端は箱体に揺動可能に支持され、且つ当該支持部材の一端は箱体に沿ってスライド可能であり、支持部材の裏面には指入れ穴を有するパレットが装着され、支持部材には前記パレットの指入れ穴に相当する部位に突起が設けられ、当該突起には係止部材が設けられていることを特徴とする画架である。
【００１３】
また上記の発明の実施態様としての発明は、支持部材はヒンジ部材によって箱体に揺動可能に支持され、ヒンジ部材は固定ネジおよび固定ナットとガイド片を備え、箱体の側面には当該側面の壁を貫通すると共に長手方向に延びる固定用スリットと、該固定用スリットに平行して延びるガイド用溝を有し、前記ヒンジ部材の固定ネジは、固定用スリットを貫通して固定ナットと嵌合し、ヒンジ部材のガイド片はガイド用溝と嵌合していることを特徴とする画架である。
【００１４】
また同様の目的を達成するための本発明の特徴は、上部が開口した箱体と、該箱体の蓋となると共に画材を支持する支持部材を備え、前記支持部材の一端は箱体に揺動可能に支持され、支持部材の裏面には支持部材と略一致する形状のパレットが装着された画架において、パレットは指入れ穴を有し、支持部材には前記パレットの指入れ穴に相当する部位に突起が設けられ、当該突起には係止部材が設けられている画架である。
【００１５】
【作用】
本発明の画架は、上部が開口した箱体と、該箱体の蓋となると共に画材を支持する支持部材を備え、収納時や携帯時には、箱体と支持部材が一体的な箱状となる。
また本発明の画架を使用する際には、支持部材が起こされる。そしてさらに支持部材が箱体に沿ってスライドされる。
その結果支持部材の端部は箱体の端部を離れ、箱体の開口面が使用者側に露出する。
【００１６】
請求項６記載の画架では、支持部材がヒンジ部材によって支持され、当該ヒンジ部材によって起立可能である。また本発明の画架では、ヒンジ部材は固定ネジおよび固定ナットとガイド片を備え、両者はそれぞれ箱体に設けられた固定用スリットとガイド用溝とに嵌合しており、ヒンジ部材は箱体の側面に沿って平行移動する。従って本発明の画架では、支持部材の揺動端部は箱体の側面に沿ってスライド可能である。
また固定ネジを締めることにより、所定の位置で支持部材の揺動端部を固定することができる。
【００１７】
請求項５、７記載の画架では、支持部材の裏面であって、パレットの指入れ穴に相当する部位に突起が設けられ、当該突起には係止部材が設けられている。そのため本発明の画架では、収納時や携帯時に、支持部材の突起にパレットの指入れ穴が挿入され、さらに係止部材によってパレットが抜けない様に保持される。
【００１８】
【実施例】
以下さらに本発明の具体的実施例について説明する。尚本実施例の説明において、上下の関係は、画架を使用する状態に置いた場合、即ち図１、図２の様に、画架の六面の内最も面積の大きい２面を天地の方向に向けた状態を基準とする。図１は、本発明の具体的実施例の画架の使用時の斜視図である。図２は、図１の画架の携帯時の斜視図である。図３は、図１の画架の箱体の要部断面図である。図４は、図１の画架の支持部材を起こした状態での側面図である。図５は、図１の画架の使用時の側面図である。図６は、図１の画架の背面図である。図７は、図１の画架の背面の要部斜視図である。図８は、図１の画架の支持部材を垂直に立てた状態での部分正面図である。図９は、図８のＡ−Ａ断面図である。図１０は、図８のＢ−Ｂ断面図である。図１１は、上受部材を差し替えた状態での図１の画架の部分正面図である。
【００１９】
図１において、１は本発明の具体的実施例の画架を示す。本発明の画架１は、携帯用の画架であり、携帯時には、図２の様に箱形に収納される。本発明の画架１は、大きく分けて箱体２と支持部材５によって構成され、両者がヒンジ部材１７によって結合されたものである。
順次説明すると、箱体２は、木で長方形に組み立てられたものであり、上面が開口し、他の５面は壁によって覆われている。
また箱体２は手で提げ易いように、把手９が設けられている（図５にのみ図示）。
【００２０】
箱体２の長手側の両側面には、固定用スリット６とガイド用溝７が設けられている。
固定用スリット６は図１の様に箱体２の側面の長手方向の略全域に渡って設けられている。固定用スリット６の断面形状は、図３の様に箱体２の側壁を貫通するものであり、且つ固定用スリット６の箱体内面側は拡径されている。そのため箱体２の内面側では、当該拡径によって長手方向に延びる溝８が形成されている。
一方ガイド用溝７は、前記した固定用スリット６の下側にあって固定用スリット６と平行に延びる。そしてガイド用溝７は箱体２の一方の端部、即ち使用時に使用者側となる端部から箱体２全長の約２／３に渡って設けられており、前述の固定用スリット６に比べて短い。
【００２１】
ガイド用溝７の断面形状は、図３の様に有底の溝であり、箱体２の外面側に設けられていて内部側には貫通していない。この様にガイド用溝７を有底とした理由は、主として箱体２の剛性を確保するためである。従って箱体の剛性が確保される場合には、ガイド用溝７は、固定用スリット６と同様に貫通構造のものであっても良い。
【００２２】
支持部材５は、蓋本体１２に下受台１３と上受部材１５が設けられたものである。蓋本体１２は、周辺に高さの低い壁が設けられた板状の部材であり、携帯時には図２の様に箱体２の上蓋を構成するものである。また蓋本体１２には、２筋のスリット１４が設けられている。
【００２３】
蓋本体１２の表面側について説明すると、蓋本体１２の表面側には溝部２７と下受台１３が一体的に設けられている。溝部２７は蓋本体１２の中心に沿って長手方向に２つの木片３０が平行に配置されたものであり、両者の間でガイド溝３１を形成するものである。ガイド溝３１の断面形状は、図１０のように、内部が広くなっており、中心線Ｘ−Ｘに関しても、中心線Ｙ−Ｙに関しても左右対称である。ガイド溝３１の底は蓋本体１２自体の表面で構成される。
【００２４】
ガイド溝３１の底であって支持部材５を起こした状態の時、上端部分に相当する位置には図９に示すように開口３６が設けられている。そして当該部分の背面には、補強部材４１を介してメネジスリーブ４２が内蔵されている。また開口３６内であって、補強部材４１の表面には、片持ち状の舌状片４５が支持されている。また舌状片４５の表面には、円盤状のゴム４７が接着されている。
【００２５】
補強部材４１のメネジスリーブ４２には、背面側からネジ４９が嵌合されており、ネジ４９の先端は、メネジスリーブ４２を貫通して舌状片４５の背面に当接している。従って、ネジ４９のハンドル５０を回転することによって、ネジ４９が軸方向に移動し、舌状片４５を押圧する。
【００２６】
下受台１３は本実施例では、図１，図２の様に固定部３３と可動部３５の２つの部材によって構成される。即ち固定部３３は、角棒状のものであり、一部に幅方向に延びる溝３７が設けられている（図８参照）。そして固定部３３は、蓋本体１２のスリット１４にネジ３４を介して取り付けられている。ここで前記した溝３７のある面は、蓋本体１２の表面と当接しており、固定部３３の溝３７は、蓋本体１２に取り付けられた状態で、蓋本体１２との間でスリットを形成している。溝３７によって形成されるスリットは、前記した溝部２７に対して、長手方向の延長上に位置する。また当該スリットの断面形状は、溝部２７のそれよりもわずかに大きい。
【００２７】
固定部３３は、常時は蓋本体１２の表面の一端、より詳細には蓋本体１２を起こした時に下端に相当する部分に一体的に固定されている。そして固定部３３は、ネジ３４を緩めることによってスリット１４の長さだけ位置調整が可能である。また固定部３３には、溝部２７よりも大きい溝３７が設けられているので、蓋本体１２を起こした状態の時に上側に相当する方向に移動させると、蓋本体１２の溝部２７が溝３７によって形成されるスリット内に入り込む。そのため、固定部３３はネジ３４を緩めてスリット１４に沿って移動させると、溝部２７の下端よりも更に上側にまで移動させることができる。
【００２８】
可動部３５は、図２の様にヒンジ３８によって固定部３３に取り付けられており、ヒンジ３８を中心として蓋本体１２に密着した状態（図２、図４参照）から蓋本体１２に対して垂直に立設した状態（図１，図５参照）に開くことができる。また可動部３５の裏面、即ち使用時に上方向を向く面、言い換えると携帯時に蓋本体１２と密着する面には、長手方向に受け溝（図示せず）が設けられている。
【００２９】
可動部３５の側面には、切り欠き３９が設けられている。この切り欠き３９は、可動部３５が蓋本体１２に対して垂直に立設した状態の時、蓋本体１２の表面との間でスリットを形成するものである。可動部３５の切り欠き３９によって形成されるスリットによって、溝部２７と固定部３３の溝３７によって形成されるスリットは連通される。
【００３０】
支持部材５の裏面、即ち携帯時に箱の内部を形成する面に目を移すと、蓋本体１２の裏面には、前記した補強部材４１等の他に、図６，図７の様に突起５２と係止部材５３が設けられており、この突起５２と係止部材５３によってパレット５５が保持される。
本実施例の画架に収納されるパレット５５は、油絵用のものであり、板状であってその形状および大きさは、支持部材５の背面に略等しい（図７参照）。また公知のそれと同様に指入れ穴５６が設けられている。本実施例では、パレット５５の指入れ穴５６は、長穴であり、長径側と短径側の長さが異なるものが採用されている。
【００３１】
支持部材５の裏面に設けられた突起５２は、パレット５５の指入れ穴５６に相当する部位に設けられたものであり、指入れ穴５６の長径と一致する長さを持ち、高さはパレット５５のそれに略等しい。
係止部材５３は、前記した突起５２と略同一形状であり、突起５２の上にピン５４によって取り付けられており、蓋部材１２の平面と平行に回転可能である。
パレット５５の装着は、パレット５５を支持部材５の背面に密着させ、パレット５５の指入れ穴５６に突起５２を挿通させる。次いで係止部材５３を回転し、係止部材５３の長片をパレット５５の指入れ穴５６の短径側に倒し、パレット５５が抜け落ちない様に支持する。
【００３２】
上受部材１５は、上受部５７とガイド棒５８が一体化されたものであり、正面から見ると概略「Ｔ」字状をしている。また上受部材１５の側面から見た形状は、逆「Ｌ」形をしている。順次説明すると、上受部５７は上下両面に受け溝５９，６０が形成された短い板状の部材である。ガイド棒５８は、図１０の様に、断面形状が、前記したガイド溝３１に合致する対称形をした棒である。即ちガイド棒５８の断面形状は、表面と裏面が平行であり、その厚さはガイド溝３１の深さに等しい。また両側面は、木片３０の内面形状に等しい。従ってガイド棒５８の断面形状は、図７の様に、中心線Ｘ−Ｘに関しても、中心線Ｙ−Ｙに関しても対称である。そしてガイド棒５８はその端部の一面が上受部５７の側面と当接した状態で上受部５７と一体的に固定されている。従って上受部材１５は、側面から見ると上受部５７がガイド棒５８の端面から突出した形状をしている。
【００３３】
上受部材１５はガイド棒５８がガイド溝３１内に挿入されて使用される。ここで、ガイド棒５８は、前記したように中心線Ｘ−Ｘに関しても、中心線Ｙ−Ｙに関しても対称であり、且つ上受部５７はガイド棒５８の端面から突出した形状をしているので、上受部材１５はガイド溝３１に天地いずれの方向に向いた状態でも抜き差しすることができる。即ち上受部材１５には、上受部５７が上に位置しガイド棒５８が下に位置した状態でガイド溝３１に挿入することができ、逆に上受部５７が下に位置しガイド棒５８が上に位置した状態でガイド溝３１に挿入することができる。加えて上受部５７が上に位置しガイド棒５８が下に位置した状態に限っては、上受部材１５は裏表いずれの向きにでもガイド溝３１に装着することができる。即ち上受部５７を蓋本体１２の前面に向かって突出して装着することも、裏面に向かって突出して装着することもできる。
【００３４】
ヒンジ部材１７は、金属の板をプレス加工して作られたものであり、図１の様に略三角形状をした板体である。そしてヒンジ部材１７はその一辺が折り返されており、当該部位によってガイド片７０が構成されている。
またヒンジ部材１７には、固定ネジ７１と固定ナット７２が付属する。固定ネジ７１は、端部に撮みが設けられたものであり、ヒンジ部材１７を貫通している。また固定ナット７２は、図３の様に木片７３に金属ナット７５が埋め込まれたものである。
【００３５】
ヒンジ部材１７は、ガイド片７０が箱体２のガイド用溝７に嵌合している。またヒンジ部材１７の固定ネジ７１は、箱体２の固定用スリット６を貫通し、箱体２の内側に設けられた固定ナット７２と嵌合している。さらに固定ナット７２は箱体２の内面側に形成された溝８と嵌合している。従ってヒンジ部材１７は、箱体２の固定用スリット６およびガイド用溝７の双方と嵌合し、箱体の側面に沿って長手方向に平行移動する。
またヒンジ部材１７は支持部材５の一端にピン７７（図３参照）によって結合されている。従って支持部材５の一端は、箱体２に対して揺動可能であり、且つ箱体２に沿って長手方向にスライド可能である。
【００３６】
また、支持部材５の背面と箱体２の間には、支え部材１８が取り付けられている。支え部材１８は、図４，５のように溝２０の中に棒状部材２１が摺動可能に挿入されたものであり、棒状部材２１を移動することによって、全長を変化させることができる。また、溝２０の中心には、スリット２３が設けられている。そしてネジ２５が該スリット２３を貫通し、棒状部材２１の一端に設けられたメネジ孔と嵌合している。従って、棒状部材２１は溝２０から抜け落ちることがない。またネジ２５を締めつけることにより、棒状部材２１は溝２０に押しつけられ、支え部材１８の全長を一定に保ことができる。
蓋本体１２の背面と支え部材１８との取り付けは図示しないピンによって行われている。
また支え部材１８と箱体２との取り付けは、箱体２の固定用スリット６に挿通された固定ネジ７８を介して行われている。従って支え部材１８の箱体２との接続部位は、箱体２の長手方向にスライド可能である。
【００３７】
次に本発明の画架１の各部の作用を、使用手順を追って説明する。まず本発明の画架１の携帯時、および収納時は、前記した図２のように、箱形になっている。即ち支持部材５の端部は、箱体２の端部近くに位置され、支持部材５は箱体２の開口を完全に覆っていて全体として箱形状をなしている。
またパレット５５は支持部材５の背面に装着され、さらに箱体２内には筆や絵の具が収納されている。
【００３８】
次に、本発明の画架１を使用してキャンバスを固定する場合について説明する。本発明の画架１を使用する場合は、図示しない台や机を準備し、本発明の画架１を当該台等の上に置く。
【００３９】
次に支持部材５を起こし、ヒンジ部材１７を中心として、支持部材５を任意の角度で起立させる。この時ヒンジ部材１７は箱体２の端部にあり、支持部材５は、箱体２の端部を中心に揺動する。
支持部材５を起こす作業と前後して支え部材１８の固定ネジ７８を緩め、支え部材１８の下端を箱体２の他端まで移動させる。この時の様子は、図４の様である。
そして次に、図５の様にヒンジ部材１７を固定用スリット６およびガイド用溝７に沿って箱体２の中央側にスライドさせる。その結果支持部材５の端部は箱体の中心側に移動し、図１，図５の様に箱体２の上部の開口が露出する。
そして所定の位置で固定ネジ７１を締め、支持部材５の一端を固定する。また支持部材５の傾斜角度が所定の角度になったところで、ネジ２５を締めつけ、支え部材１８の長さを規制して支持部材５の角度を固定する。
【００４０】
次いで下受台１３の可動部３５を起こし、可動部３５を蓋本体１２に対して垂直状態にする。
【００４１】
次に上受部材１５を蓋本体１２のガイド溝３１から抜き去る。そして、上受部材１５を裏表逆方向に差し替える。より詳細に述べると、蓋本体１２の天地方向は、ガイド棒５８が下に向かって延び、上受部５７は上側に位置されると共に蓋本体１２の正面に向かって突出する方向に上受部材１５を差し替える（図５）。
【００４２】
この状態で、まず支持部材５の下受台１３にキャンバスを乗せる。そして上受部材１５のガイド棒５８をガイド溝３１内で摺動し、キャンバスの上端に上受部材１５の上受部５７が当接する様に上受部５７の位置を調節する。そして、キャンバスの上下の辺が、下受台１３の受け溝４０と、上受部５７のガイド棒側の溝６０に嵌合し、且つキャンバスの背面が、溝部２７の木片３０の表面と当接する位置へ上受部５７を移動させる。ここでキャンバスが蓋本体１２よりも大きなものであっても、ガイド棒５８は、下側だけが溝と嵌合し、上受部５７及びガイド棒５８の上受部周辺は、蓋本体１２から上に突出させることによって固定することができる。即ち本実施例の画架１は、ガイド棒５８がガイド溝３１と嵌合可能な最大位置まで、上受部５７を上昇することができ、大きなキャンバスでも無理なく固定することができる。
【００４３】
逆にキャンバスが蓋本体１２よりも少しだけ小さいものである場合は、ガイド棒５８を蓋本体１２の上端よりも下側に移動させてキャンバスを押さえる。この時、ガイド棒５８の下端は、下受台１３のスリットを通って、引出し１０側へ抜ける。尚ネジ３４を緩めて下受台１３をスリット１４に沿って上に移動させ、小型のキャンバスを固定することもできる。
【００４４】
この様にして上受部５７の位置を調節した後、補強部材４１の背面のハンドル５０を締め込みガイド棒５８を押圧する。そのためキャンバスは、しっかりと固定される。
【００４５】
尚キャンバスの大きさが、蓋本体１２よりも相当に小さい場合は図８の様に、ガイド棒５８の先端側を上に向け、上受部５７を下に向けて溝内に装着する。上受部材１５を上記した様に天地逆方向に装着した場合は、下受台１３の受け溝４０と、上受部５７の先端側の受け溝５９との間をもってキャンバスが固定される。
【００４６】
そして使用者によって所望の絵が描かれるが、本実施例の画架１では、支持部材５の下端部が、箱体２の中央部まで後退しており、箱体２の開口は使用者側に露出している。そのため使用者は、絵を描く最中に、難なく箱体２の中を見る事ができ、所望の絵の具や筆を選択して取り出すことができる。
【００４７】
以上の実施例では、脚部を有しない画架を例に本発明の構成を説明したが、勿論本発明は、従来技術の図面に示した様な脚部を一体的に備えた画架にも応用することができる。
【００４８】
【発明の効果】
本発明の画架は、携帯時や収納時には、箱体と支持部材が一体的な箱状となるので、収納や持ち運びが便利である。また本発明の画架は、支持部材が箱体に沿ってスライド可能であるので、箱体の開口面を、使用者側に露出させることができ、使用者側から箱体の内部を見たり、直接内部の筆等を取り出すことができる効果がある。
【００４９】
請求項６記載の画架では、ヒンジ部材は固定ネジおよび固定ナットとガイド片を備え、両者はそれぞれ箱体に設けられた固定用スリットとガイド用溝とに嵌合しており、ガイド片は箱体の側面に沿って平行移動する。本発明の画架では、この様にヒンジ部材が固定用スリットとガイド用溝の双方に案内されるので、ヒンジ部材の動きは円滑であり、使い勝手が良い効果がある。
【００５０】
さらに請求項５、７記載の画架では、パレットの収納が確実であると言う効果がある。
【図面の簡単な説明】
【図１】本発明の具体的実施例の画架の使用時の斜視図である。
【図２】図１の画架の携帯時の斜視図である。
【図３】図１の画架の箱体の要部断面図である。
【図４】図１の画架の支持部材を起こした状態での側面図である。
【図５】図１の画架の使用時の側面図である。
【図６】図１の画架の背面図である。
【図７】図１の画架の背面の要部斜視図である。
【図８】図１の画架の支持部材を垂直に起こした状態での部分正面図である。
【図９】図８のＡ−Ａ断面図である。
【図１０】図８のＢ−Ｂ断面図である。
【図１１】上受部材を差し替えた状態での図１の画架の部分正面図である。
【図１２】従来技術の画架の使用時の斜視図である。
【図１３】従来技術の画架の収納時の斜視図である。
【符号の説明】
１  画架
２  箱体
５  支持部材
６  固定用スリット
７  ガイド用溝
１７  ヒンジ部材
７０  ガイド片
７１  固定ネジ
７２  固定ナット
【図１】
0003544725.tif 000002
【図２】
0003544725.tif 000003
【図３】
0003544725.tif 000004
【図４】
0003544725.tif 000005
【図５】
0003544725.tif 000006
【図６】
0003544725.tif 000007
【図７】
0003544725.tif 000008
【図８】
0003544725.tif 000009
【図９】
0003544725.tif 000010
【図１０】
0003544725.tif 000011
【図１１】
0003544725.tif 000012
【図１２】
0003544725.tif 000013
【図１３】
0003544725.tif 000014